(57)【要約】【課題】ボウル部の上フランジ部の外側方への突出長さの短い部位を載置する縦リブの上端部の面積を大きくする。【解決手段】合成樹脂製の便器主体部２を、スカート部３と、スカート部３に溶着一体化されるボウル部４と、ボウル部４及びスカート部３に溶着一体化されるリム部５とで構成する。ボウル部４の上開口の周囲に外側方に向けて上フランジ部６を一体に連出する。スカート部３の内面の周方向の複数個所に上端がスカート部３の上端よりも下方に位置する縦リブ７を一体に突設すると共に該縦リブ７の上端縁部にボウル部４の上端部外周の上フランジ部６を載設する。複数の縦リブ７のうち少なくとも上フランジ部６の外側方への突出長が短い部位を載置する箇所の縦リブ７を、平面視において該縦リブ７を突出した部分におけるスカート部３の接線に対して非直角となるように傾斜させる。【選択図】図１
2008095448.tif 000002
【特許請求の範囲】
【請求項１】
便器の主体を構成する便器主体部を、合成樹脂製のスカート部と、スカート部の上部内に嵌め込まれてスカート部に溶着一体化される合成樹脂製のボウル部と、ボウル部の上端縁部及びスカート部の上端縁部に溶着一体化される合成樹脂製のリム部とで構成し、ボウル部の上開口の周囲に外側方に向けて上フランジ部を一体に連出し、上記スカート部の内面の周方向の複数個所に上端がスカート部の上端よりも下方に位置する縦リブを一体に突設すると共に該縦リブの上端縁部にボウル部の上端部外周の上フランジ部を載設し、上記複数の縦リブのうち少なくとも上フランジ部の外側方への突出長が短い部位を載置する箇所の縦リブを、平面視において該縦リブを突出した部分におけるスカート部の接線に対して非直角となるように傾斜させて成ることを特徴とする便器。
【請求項２】
スカート部の内面下部に下フランジ部を一体に周設し、縦リブの下端を下フランジ部に一体に連続させて成ることを特徴とする請求項１記載の便器。
【請求項３】
合成樹脂製のスカート部の内面上部にスカート部の壁厚が下方に行くに従って徐々に薄くなった凹所を周方向に形成し、該凹所の底にボウル部の上フランジ部の外端部を載設して成ることを特徴とする請求項１又は請求項２記載の便器。
【発明の詳細な説明】
【技術分野】
【０００１】
本発明は、便器においてスカート部にボウル部を載設一体化する技術に関するものである。
【背景技術】
【０００２】
従来から、便器の主体を構成する便器主体部を、合成樹脂により形成したスカート部と、スカート部の上部内に嵌め込まれてスカート部に固着される陶器製のボウル部と、ボウル部の上端縁部及びスカート部の上端縁部に固着される合成樹脂製のリム部とで構成するものが知られている（例えば、特許文献１参照）。
【０００３】
上記従来例は図１２に示すように、スカート部５０の上端部に内側方に向けて内鍔部５１を突設し、該内鍔部５１にボウル部５２の上フランジ部５３を載設するものである。ところで、この従来例にあっては、合成樹脂製のスカート部５０の内鍔部５１にボウル部５２の上フランジ部５３を載置して固着しているだけなので、便器に座った際の荷重は全て合成樹脂製のスカート部５０の壁部を介して下方に伝達される。このため、合成樹脂製のスカート部５０の肉厚を厚くしなければ、合成樹脂製のスカート部５０が上方からかの荷重で変形するおそれがある。このため、合成樹脂製のスカート部５０の肉厚を厚くする必要があり、コスト高になる。
【０００４】
そこで、本発明者は本発明に至る過程で、合成樹脂製のスカート部の内面に周方向に複数の縦リブを一体に設け、縦リブの上端にボウル部の上フランジ部を載置して固着することを考えた。これだと、内面に縦リブを設けることで、スカート部の肉厚を薄くしてもボウル部を支持して上方からの荷重でスカート部が変形しないようにすることができる。しかしながら、スカート部の上端開口の形状と、ボウル部の上開口の形状とは相似形でないのが普通であり（ボウル部の上開口はスカート部の上端開口よりも丸に近い形状をしている）、このため、ボウル部をスカート部内にはめ込んで上フランジ部をスカート部の内面に突設した複数の縦リブの上端に載置して固着するに当り、上フランジ部には外側方への突出長が短い部位と、外方への突出長さ短い部位とが存在することになる。
【０００５】
一方、合成樹脂製のスカート部の内面に縦リブを一体に突設する場合、一般的な縦リブの突出の技術は、平面視において該縦リブを突出した部分におけるスカート部の接線に対して直角となるように突設する。このため、上フランジ部における外側方への突出長が短い部位が上端に載置される縦リブはスカート部からの突出長さが短く、外方への突出長さ短い部位が上端に載置される縦リブはスカート部からの突出長さが長くなる。このため、上記スカート部からの突出長さが短い縦リブ部分においては上端の載置のための面積が小さくなり、この部分における上フランジ部の支持が弱くなるという問題が生じることが判明した。
【特許文献１】特開平１０−３７２７９号公報
【発明の開示】
【発明が解決しようとする課題】
【０００６】
本発明は上記の従来の問題点に鑑みて発明したものであって、合成樹脂製のスカートの肉厚を薄くしても確実に上方からの荷重の支持強度が向上し、また、ボウル部の上フランジ部の外側方への突出長さの短い部位を載置する縦リブの上端部における載設のための面積を大きくとることができて支持強度を向上させることができ、また、ボウル部をスカート部内に嵌め込んで溶着一体化するに当り、ボウル部をスカート部の所定位置に容易に嵌め込んで位置決め保持できる便器を提供することを課題とするものである。
【課題を解決するための手段】
【０００７】
上記課題を解決するために本発明に係る便器は、便器１の主体を構成する便器主体部２を、合成樹脂製のスカート部３と、スカート部３の上部内に嵌め込まれてスカート部３に溶着一体化される合成樹脂製のボウル部４と、ボウル部４の上端縁部及びスカート部３の上端縁部に溶着一体化される合成樹脂製のリム部５とで構成し、ボウル部４の上開口の周囲に外側方に向けて上フランジ部６を一体に連出し、上記スカート部３の内面の周方向の複数個所に上端がスカート部３の上端よりも下方に位置する縦リブ７を一体に突設すると共に該縦リブ７の上端縁部にボウル部４の上端部外周の上フランジ部６を載設し、上記複数の縦リブ７のうち少なくとも上フランジ部６の外側方への突出長が短い部位を載置する箇所の縦リブ７を、平面視において該縦リブ７を突出した部分におけるスカート部３の接線に対して非直角となるように傾斜させて成ることを特徴とするものである。
【０００８】
このような構成とすることで、合成樹脂製のスカート部３がボウル部４を支持する縦リブ７により補強されて上方からの荷重の支持強度が向上する。しかも、このようにスカート部３の内面に周方向に複数の縦リブ７を設けて縦リブ７の上端にボウル部４の上フランジ部４を載置して溶着一体化するに当り、複数の縦リブ７のうち少なくとも上フランジ部６の外側方への突出長が短い部位を載置する箇所の縦リブ７を、平面視において該縦リブ７を突出した部分におけるスカート部３の接線に対して非直角となるように傾斜させてあるので、上フランジ部６の外側方への突出長さが短い部位を載置する箇所の縦リブ７の上端部における載置のための面積を広く取ることができて、この部分における支持強度が低下しない。また、ボウル部４をスカート部３内に嵌め込んで溶着一体化するに当り、ボウル部４をスカート部３内に嵌め込んで、上端がスカート部３の上端よりも下方に位置する縦リブ７の上端に上フランジ部６を載置するだけで、ボウル部４をスカート部３の所定位置に位置決め保持でき、溶着一体化作業が容易に行えることになる。
【０００９】
また、スカート部３の内面下部に下フランジ部８を一体に周設し、縦リブ７の下端を下フランジ部８に一体に連続させることが好ましい。
【００１０】
このような構成とすることで、縦リブ７部分から下方に伝達された荷重をスカート部３と一体となった下フランジ部８において面として受けることができる。
【００１１】
また、合成樹脂製のスカート部３の内面上部にスカート部３の壁厚が下方に行くに従って徐々に薄くなった凹所９を周方向に形成し、該凹所９の底にボウル部４の上フランジ部６の外端部を載設することが好ましい。
【００１２】
このような構成とすることで、合成樹脂製のボウル部４を合成樹脂製のスカート部３内に嵌め込んで溶着一体化するに当って、壁厚が下方に行くに従って徐々に薄くなった凹所９の傾斜面をガイドとして上フランジ部６を凹所９内に嵌め込んで載設支持でき、ボウル部４がスカート部３内の所定位置に位置決め保持され、溶着工程が正確且つ容易に行えることになる。また、ボウル部４は上記のように複数の縦リブ７の上端において支持されるだけでなく、凹所９の底でも支持され、スカート部３へのボウル部４の支持強度が向上する。
【発明の効果】
【００１３】
本発明の請求項１記載の発明は、合成樹脂製のスカートの内面に周方向に複数の縦リブを一体に形成して縦リブの上端にボウル部の上フランジ部を載設してあるので、合成樹脂製のスカート部の肉厚を厚くしなくても支持強度が強くなり、低コスト化が図れる。また、ボウル部の上フランジ部の外側方への突出長さの短い部位を載置する縦リブの上端部における載設のための面積を大きくとることができてこの部分における支持強度が向上する。また、ボウル部をスカート部内に嵌め込んで溶着一体化するに当り、上端がスカート部の上端よりも下方に位置する縦リブの上端に上フランジ部を載置するので、ボウル部をスカート部の所定位置に容易に嵌め込んで位置決め保持して溶着一体化できる。
【００１４】
また、請求項２記載の発明は、縦リブ部分から下方に伝達された荷重をスカート部と一体となった下フランジ部において面として支持できて、支持強度が向上する。
【００１５】
また、請求項３記載の発明は、凹所の傾斜を利用して上フランジ部を凹所内に簡単且つ確実に嵌め込むことができて、ボウル部をスカート部内の所定位置に位置決め保持でき、溶着工程が正確且つ容易に行える。また、凹所の底でもボウル部が支持されることになり、スカート部へのボウル部の支持強度が向上する。
【発明を実施するための最良の形態】
【００１６】
以下、本発明を添付図面に示す実施形態に基いて説明する。
【００１７】
便器１は、図１、図２に示すように、ボウル部４を備えた前パーツを構成する合成樹脂製の便器主体部２と、後パーツ１１と、支持フレーム１２とで構成してある。
【００１８】
便器主体部２は水平断面略Ｃ字状をしたスカート部３と、スカート部３内の上部に嵌め込んで溶着一体化されたボウル部４と、更にボウル部４の上に嵌め込んでボウル部４の上端縁部及びスカート部３の上端縁部に溶着一体化されたリム部５とで構成してある。
【００１９】
合成樹脂製のスカート部３は上下方向及び後方が開口した水平断面略Ｃ字状をしており、内面に周方向に複数個の縦リブ７が一体に突設してある。この縦リブ７の上端部はスカート部３の内面の上部に位置しているが、スカート部３の上端よりも下方に位置している。
【００２０】
スカート部３の内面の下部には下端よりもやや上方位置に周方向に下フランジ部８が一体に突出形成してある。上記スカート部３の内面の周方向に複数設けた縦リブ７のうち大部分の縦リブ７はスカート部３の内面の下部まで至っていて下フランジ部８に一体に連連続形成してある。
【００２１】
図５、図７、図８に示すように、スカート部３の内面上部にはスカート部３の壁厚が下方に行くに従って徐々に薄くなった凹所９を周方向に形成してあり、該凹所９の底が水平な載置面９ａとなっている。この載置面９ａは縦リブ７の上端と同じレベルとなっている。
【００２２】
スカート部３の後開口の両縁部には固定片３ａが一体に突設してある。
【００２３】
ボウル部４の上開口の周囲に外側方に向けて上フランジ部６が一体に形成してある。ボウル部４の上開口の形状と上フランジ部６の外周形状とは非相似形となっている。つまり、ボウル部４の上開口は図９に示すように全体として略丸くなっているが、上フランジ部６の左右両側部分は略直線状となっていてスカート部３の内面上部の周方向に設けた凹所９にぴったりと嵌り込む形状をしている。このようにボウル部４の上開口の形状と上フランジ部６の外周形状とは非相似形となっているため、上フランジ部６は、外側方への突出長さが長い部位と、外側方への突出長さが短い部位とがあり、上フランジ部６の左右両側部の部位は他の部位に比べて外側方への突出長さが短くなっている。
また、ボウル部４の底部には排水筒部４ａが形成してある。
【００２４】
リム部５の後部の内周面には温水洗浄装置２１ａに設けた洗浄ノズル２４をボウル部４内に出し入れするための洗浄ノズル出し入れ用開口部２５を設けると共に送風装置２１ｂのダクト先端部から噴出する温風又は冷風をボウル部４内に吹き出すための送風用開口部２６が左右に並べて設けてあり、また、リム部５の後端部の下面には図１０に示すように上記洗浄ノズル出し入れ用開口部２５、送風用開口部２６から左右方向にずれた位置に、脱臭装置２１ｃに連通するボウル部４内臭気を吸込むための脱臭用開口部２７を設けると共に、ボウル部４内を明るく照らすためのＬＥＤのような発光部２８が臨む発光用開口部２９が設けてある。
【００２５】
リム部５の下面部の外周には平面視Ｕ字状の下設置用鍔４０が設けてあり、リム部５の上面部外周には平面視Ｕ字状の上設置用鍔４１が設けてある。
【００２６】
上記のような構成のスカート部３、ボウル部４、リム部５は別々に合成樹脂により成形し、この別々に成形した合成樹脂製のスカート部３、合成樹脂製のボウル部４、合成樹脂製のリム部５を互いに溶着一体化することで、合成樹脂製の便器主体部２を形成する。
【００２７】
合成樹脂製のスカート部３、合成樹脂製のボウル部４、合成樹脂製のリム部５を互いに溶着一体化するに当っては、まず、スカート部３内に上方からボウル部４を嵌め込んで位置決めした状態で溶着一体化し、その後、スカート部３内に上方からリム部５を嵌め込んで位置決めした状態で溶着一体化するか、あるいは、スカート部３内に上方からボウル部４を嵌め込んで位置決めし、その後、スカート部３内に上方からリム部５を嵌め込んで位置決めした状態でスカート部３、ボウル部４、リム部５相互を溶着一体化する。
【００２８】
いずれにせよ、溶着一体化に当って、スカート部３に対してボウル部４を所定位置に位置決め保持する必要があるが、本発明においては、ボウル部４をスカート部３内に嵌め込んで溶着一体化するに当り、ボウル部４をスカート部３内に嵌め込んで、上端がスカート部３の上端よりも下方に位置する縦リブ７の上端に上フランジ部６を載置するだけで、ボウル部４をスカート部３の所定位置に位置決め保持することができる。
【００２９】
この場合、更に、合成樹脂製のスカート部３に設けた壁厚が下方に行くに従って徐々に薄くなった凹所９の傾斜面をガイドとして合成樹脂製のスカート部３を押し広げるようにして上フランジ部６を凹所９内に嵌め込んで載設支持することができるので、図５に示すようにボウル部４をスカート部３内の所定位置に嵌め込んで位置決めして動かないように保持した状態とすることができ、このように正確な位置関係で位置決め保持した状態で溶着一体化ができるので、溶着が簡単且つ確実に行えることになる。
【００３０】
ここで、図７に示すように、スカート部３の上端開口の左右両側は平面視で略直線となった部分があり、このスカート部３の上端開口の形状と、ボウル部４の上開口の内周形状とは非相似形である。つまり、前述のようにボウル部４の上開口は丸くなっているが、スカート部３の左右両側は上記のように略直線となった部分がある。そして、ボウル部４の上開口に設けた上フランジ部６の外周の形状はスカート部３の上部内面の凹所９にぴったりと嵌る形状をしている。
【００３１】
溶着一体化するに当って、上フランジ部６は前述のように複数の縦リブ７の上端縁部に載置されるのであるが、複数の縦リブ７のうち、上フランジ部６の外側方への突出長が短い部位を載置する箇所の縦リブ７ａの突出方向Ｂは、図７（ｂ）に示すように、平面視において該縦リブ７ａを突出した部分におけるスカート部３の接線Ｃに対して非直角となるように傾斜させてある。このため、上フランジ部６の外側方への突出長さが短い部位（実施形態では左右両側の部分）を載置する箇所の縦リブ７の上端部における載置のための面積を接線に対して直角に突出させた場合に比べて広く取ることができて、この部分における支持強度が低下しないようになっている。複数の縦リブ７のうち、上フランジ部６の外側方への突出長さが長い部位を載置する箇所の縦リブ７は該縦リブ７を突出した部分におけるスカート部３の接線に対して直角となるように突設してあるが、この部分の縦リブ７も当該縦リブ７の突出する部分にスカート部３の接線に対して非直角となるように傾斜させてあってもよい。
【００３２】
リム部５はスカート部３の上端部内に嵌め込まれ、下設置用鍔４０がボウル部４の上フランジ部６上に載置されると共に上設置用鍔４１がスカート部３の上端面に載置されて位置決め保持され、ボウル部４、スカート部３に対して溶着一体化される（図５参照）。このようにして便器主体部２を形成するのであるが、ボウル部４の上端開口の縁部とリム部５の下端内周縁部とにより側方に開口した略Ｃ字状をしたガイド溝３５が形成される。
【００３３】
上記のように溶着一体化して形成した便器主体部２は支持フレーム１２に取付ける。
【００３４】
この場合、スカート部３の内面下部に設けた下フランジ部８を支持フレーム１２の下フレーム部１２ａの前部の平面視略Ｕ字状をした部分に図１１のように載置してボルト、ナットのような固着具４６により固着する。スカート部３の下端は下フレーム部１２ａの下端よりも上に位置していてトイレの床４５に下フレーム部１２ａを設置した際にスカート部３の下端が床に接触しないようになっていて、便器主体部２にかかる全ての荷重をスカート部３、複数の縦リブ７ａを介して下フランジ部８に分散して伝達して、下フレーム部１２ａに伝達できることになる。また、図１１のように、下フレーム部１２ａの上下面や下フランジ部８の下面や下フレーム部１２ａの下面やスカート部３の下端にクッション材４７を設けることで、上方から伝わる振動が下フレーム部１２ａを介してトイレの床４５に伝わらないようにする。
【００３５】
スカート部３は更に、後開口の両縁部には固定片３ａを支持フレーム１２の縦フレーム部１２ｃにねじ具により固着する。
【００３６】
後パーツ１１は、上カバー１６、装置ケース１７、リアカバー１８、上サイドカバー１９、下サイドカバー２０により構成してあり、これらはいずれも合成樹脂製である。
【００３７】
後パーツ１１の装置ケース１７に局部洗浄用の温水洗浄装置２１ａ、局部乾燥用の送風装置２１ｂ、ボウル部４内の臭気を脱臭するための脱臭装置２１ｃ等の便器付属装置２１が取付けてあり、この装置ケース１７を支持フレーム１２にねじ具により取付けて支持してある。上カバー１６は装置ケース１７を覆うようにして取付けられるもので、上カバー１６には便座２２、便蓋２３が回動自在に取付けてある。リアカバー１８は、装置ケース１７や支持フレーム１２に取付けてあり、上サイドカバー１９はリアカバー１８に着脱自在に取付けてあり、下サイドカバー２０は上サイドカバー１９に着脱自在に係止して位置決めした状態で磁石により支持フレーム１２に対して着脱自在に取付けてある。
【００３８】
便器主体部２のガイド溝３５の後端部の左右方向の一端部にボウル洗浄用ノズル嵌め込み筒部３３が設けてあって、便器付属装置２１側に設けたボウル洗浄用ノズル３２が該ノズル嵌め込み筒部内に嵌めこまれ、洗浄水ノズルから噴出した洗浄水が図９の矢印に示すようにガイド溝３５内を流れつつボウル部４内面に旋回流として流れることでボウル部４内面を洗浄するようになっている。
【００３９】
ボウル部４の排水筒部４ａにはトラップの一端部が接続される。本実施形態ではトラップはターントラップ方式のもので、フレキシブルなトラップ筒（図示せず）により構成してあり、モータ（図示せず）によりトラップ筒を回動して、トラップ筒が上向きＵ字状となったトラップ構造となる状態と、略逆Ｌ字状となってトラップ構造が解除される状態とを選択できるようになっており、通常はトラップ筒が上向きＵ字状となったトラップ構造となっていてボウル部４内の下部、排水筒部４ａ、トラップ筒内に水が溜まった状態となっていて、この状態で大便や小便を行い、大便や小便が終わって、洗浄水を流すと共に、トラップ筒を回動してトラップ構造を解除する状態して、汚物と共に汚水を排水するようになっている。上記フレキシブルなトラップ筒、モータ等はトラップケース３４内に収納してあり、該トラップケース３４は金属製の支持フレーム１２に取付けてある。なお、トラップケースの下部は開口していてトラップ筒の端部が床に形成される排水筒に接続される。
【図面の簡単な説明】
【００４０】
【図１】本発明の全体斜視図である。
【図２】同上の一部分解斜視図である。
【図３】同上の前パーツ分の前後方向の断面図である。
【図４】同上の前パーツ分の左右方向の断面図である。
【図５】同上のボウル部をスカート部に載設一体化している部分の拡大断面図である。
【図６】同上の前パーツの分解斜視図である。
【図７】（ａ）は同上のスカート部の平面図であり、（ｂ）は（ａ）のＡ部分の拡大平面図である。
【図８】同上のスカート部の斜視図である。
【図９】同上のボウル部の平面図である。
【図１０】同上のリム部の下面部である。
【図１１】同上のスカート部の下フランジ部を支持フレームの下フレーム部に載設して固定している部分の断面図である。
【図１２】従来例の断面図である。
【符号の説明】
【００４１】
１  便器
２  便器主体部
３  スカート部
４  ボウル部
５  リム部
６  上フランジ部
７  縦リブ
８  下フランジ部
【図１】
2008095448.tif 000003
【図２】
2008095448.tif 000004
【図３】
2008095448.tif 000005
【図４】
2008095448.tif 000006
【図５】
2008095448.tif 000007
【図６】
2008095448.tif 000008
【図７】
2008095448.tif 000009
【図８】
2008095448.tif 000010
【図９】
2008095448.tif 000011
【図１０】
2008095448.tif 000012
【図１１】
2008095448.tif 000013
【図１２】
2008095448.tif 000014